(57)【特許請求の範囲】
【請求項１】
本体下部に浴室内の空気を吸込む吸い込み部と吸い込まれた空気を浴室内に吹き出す吹き出し部を有する化粧パネルを備え、本体内部には吸い込まれた浴室内の空気を加熱する加熱部と吸い込まれた浴室内の空気を排出する換気部と本体内部に設けられた通風路を介して前記吸い込み部から前記吹き出し部へと浴室内の空気を搬送する循環部を備え、前記吹き出し部に浴室内へ温水または冷水を噴霧する噴霧部を備え、前記吹き出し部は前記化粧パネルの表面に位置して前記吹き出し部を開閉する第１の水平板と内側に位置した少なくとも１枚以上の第２の水平板と前記第１の水平板と第２の水平板を連結させる鉛直板を有し回動によって吹き出し方向を可変するフラップを設け、前記第１の水平板の長さが前記第２の水平板の長さよりも長いものであって、前記第２の水平板の下流側形状を前記第１の水平板側へ向けて傾斜させ、前記第２の水平板を通過する吹き出し気流に誘引効果を与え、また、吹き出し風速を増加させることを特徴とするミストサウナ装置。
【請求項２】
前記フラップが回動して真下に向けて吹き出すときに、第２の水平板に設けた傾斜の上流側が噴霧部よりも上方に位置することを特徴とする請求項１記載のミストサウナ装置。
【請求項３】
前記吹き出し部の風路を構成する最外部の鉛直板の下流側の形状を拡大方向に向けた請求項１または２記載のミストサウナ装置。
【請求項４】
吹き出し部の風路を構成する鉛直板を任意に可動できる構成としたことを特徴とする請求項１または２記載のミストサウナ装置。
【発明の詳細な説明】
【技術分野】
【０００１】
本発明は、浴室に温水をミスト状に噴霧して浴室内を高湿度空間にするミストサウナ装置に関する。
【背景技術】
【０００２】
従来、この種のミストサウナ装置は、浴室の暖房、乾燥、換気機能を併せ持つものがあり、浴室の天井または壁に設置し本体下部に設けられている吹き出し口から温風を吹き出すことで入浴前の浴室内を予め暖めておくことができ、冬季でも寒さを感じることのない入浴が可能となるとともに、ミストサウナ装置のミスト噴霧部から温水ミストを浴室内に噴霧すれば、浴室をサウナ室として楽しむことができる。また、夏季においては、ミスト噴霧部から冷水を噴霧することにより冷水ミスト機能による清涼感を得ることができるミストサウナ装置が知られている（例えば、特許文献１参照）。
【０００３】
以下、そのミストサウナ装置について図７を参照しながら説明する。
【０００４】
図に示すように、ミストサウナ装置は、吸気口１０５を通過して浴室内の空気を吸引して、吹出口１０６より吹き出すための循環通風路１０７と、循環通風路１０７に対して通風作用をする循環ファン１０１と、循環通風路１０７を通過する空気を加熱する熱交換器１０８と、吹出口１０６を通して吹き出される空気の吹出方向を変化させる可動ルーバー１０２とが装置本体１０３内に、また、装置本体１０３の下面には化粧パネル１０４を設けている。さらに、浴室内の空気を吸引して排気ダクト１０９を通して屋外に排気する換気ファン１１０とを設けるとともに吸気口１０５の側方に浴室内の洗い場に向けてミストを噴霧するミスト噴霧部１１１を固定して設ける構成をしていた。
【特許文献１】特開２００２−３３６３２７号公報（第３−５頁、図５）
【発明の開示】
【発明が解決しようとする課題】
【０００５】
このような従来のミストサウナ装置では、温水噴霧用のノズルは、噴霧する温水に圧力をかけているためにノズルを強固に固定しなければならず、また、吸気口を挟んで相対する形で吹出口とミスト噴霧部のノズルが設けられているため、吹出口からミスト噴霧部のノズルが離れており、吹出口から吹き出される空気の吹出方向に合わせて噴霧方向を入浴者の位置に応じ可変することが困難であるという課題があった。
【０００６】
また、ミスト噴霧部が吸気口の側方に設けられているため、噴霧されたミストの一部は吸気口へ吸い込まれ、吸気口に多量の水滴が付着したり結露が発生するため、ミスト噴霧部のノズルを化粧パネルから露出させなければならず、化粧パネルの意匠性が損なわれるという課題があった。
【０００７】
本発明は、このような従来の課題を解決するもので、化粧パネルの意匠性を損なわずに、ミストの噴霧方向を使用者の位置に応じて容易に可変することのできるミストサウナ装置を提供することを目的とする。
【課題を解決するための手段】
【００１０】
本発明のミストサウナ装置は、上記目的を達成するために、本体下部に浴室内の空気を吸込む吸い込み部と吸い込まれた空気を浴室内に吹き出す吹き出し部を有する化粧パネルを備え、本体内部には吸い込まれた浴室内の空気を加熱する加熱部と吸い込まれた浴室内の空気を排出する換気部と本体内部に設けられた通風路を介して前記吸い込み部から前記吹き出し部へと浴室内の空気を搬送する循環部を備え、前記吹き出し部に浴室内へ温水または冷水を噴霧する噴霧部を備え、前記吹き出し部は前記化粧パネルの表面に位置して前記吹き出し部を開閉する第１の水平板と内側に位置した少なくとも１枚以上の第２の水平板と前記第１の水平板と第２の水平板を連結させる鉛直板を有し回動によって吹き出し方向を可変するフラップを設け、前記第１の水平板の長さが前記第２の水平板の長さよりも長いものであって、前記第２の水平板の下流側形状を前記第１の水平板側へ向けて傾斜させ、前記第２の水平板を通過する吹き出し気流に誘引効果を与え、また、吹き出し風速を増加させることを特徴とするものである。
【００１１】
この手段により、吹き出し気流に追随してミストの噴霧方向を変更できるという効果のあるミストサウナ装置が得られる。
【００１２】
また、他の手段は、前記フラップが回動して真下に向けて吹き出すときに、第２の水平板に設けた傾斜の上流側が噴霧部よりも上方に位置することを特徴とするものである。
【００１３】
この手段により、誘引効果が高められるため、噴霧部から噴霧されたミストが前もって吹き出し方向を変更された吹き出し気流に誘引されやすくなり、吹き出し気流の方向に追随して噴霧方向を変更することができるという効果のあるミストサウナ装置が得られる。
【００１８】
また、他の手段は、前記吹き出し部の風路を構成する最外部の鉛直板の下流側の形状を拡大方向に向けたものである。
【００１９】
この手段により、噴霧部から噴霧されるミストを誘引して浴室内に均一に拡散できるという効果のあるミストサウナ装置が得られる。
【００２０】
また、他の手段は、吹き出し部の風路を構成する鉛直板を任意に可動できる構成としたことを特徴とするものである。
【００２１】
この手段により、ミストの噴霧幅を変更でき、噴霧幅を絞ったスポット噴霧と噴霧幅を広げたワイド噴霧ができるという効果のあるミストサウナ装置が得られる。
【発明の効果】
【００２３】
本発明のミストサウナ装置によれば、本体下部に浴室内の空気を吸込む吸い込み部と吸い込まれた空気を浴室内に吹き出す吹き出し部を有する化粧パネルを備え、本体内部には吸い込まれた浴室内の空気を加熱する加熱部と吸い込まれた浴室内の空気を排出する換気部と本体内部に設けられた通風路を介して前記吸い込み部から前記吹き出し部へと浴室内の空気を搬送する循環部を備え、前記吹き出し部に浴室内へ温水または冷水を噴霧する噴霧部を備え、前記吹き出し部は前記化粧パネルの表面に位置して前記吹き出し部を開閉する第１の水平板と内側に位置した少なくとも１枚以上の第２の水平板と前記第１の水平板と第２の水平板を連結させる鉛直板を有し回動によって吹き出し方向を可変するフラップを設け、前記第１の水平板の長さが前記第２の水平板の長さよりも長いものであって、前記第２の水平板の下流側形状を第１の水平板側へ向けて傾斜させ、前記第２の水平板を通過する吹き出し気流に誘引効果を与え、また、吹き出し風速を増加させることにより、吹き出し気流に追随してミストの噴霧方向を変更できるという効果のあるミストサウナ装置を提供することができる。
【００２４】
また、本発明のミストサウナ装置によれば、前記フラップが回動して真下に向けて吹き出すときに、第２の水平板に設けた傾斜の上流側が噴霧部よりも上方に位置させたことにより、誘引効果が高められるため、噴霧部から噴霧されたミストが前もって吹き出し方向を変更された吹き出し気流に誘引されやすくなり、吹き出し気流の方向に追随して噴霧方向を変更することができるという効果のあるミストサウナ装置を提供することができる。
【００２７】
また、本発明のミストサウナ装置によれば、前記吹き出し部の風路を構成する最外部の鉛直板の下流側の形状を拡大方向に向けたことにより、噴霧部から噴霧されるミストを誘引して浴室内に均一に拡散できるという効果のあるミストサウナ装置を提供できる。
【００２８】
また、本発明のミストサウナ装置によれば、吹き出し部の風路を構成する鉛直板を任意に可動できることにより、ミストの噴霧幅を変更でき、噴霧幅を絞ったスポット噴霧と噴霧幅を広げたワイド噴霧ができるという効果のあるミストサウナ装置を提供できる。
【発明を実施するための最良の形態】
【００３０】
請求項１記載の発明は、本体下部に浴室内の空気を吸込む吸い込み部と吸い込まれた空気を浴室内に吹き出す吹き出し部を有する化粧パネルを備え、本体内部には吸い込まれた浴室内の空気を加熱する加熱部と吸い込まれた浴室内の空気を排出する換気部と本体内部に設けられた通風路を介して前記吸い込み部から前記吹き出し部へと浴室内の空気を搬送する循環部を備え、前記吹き出し部に浴室内へ温水または冷水を噴霧する噴霧部を備え、前記吹き出し部は前記化粧パネルの表面に位置して前記吹き出し部を開閉する第１の水平板と内側に位置した少なくとも１枚以上の第２の水平板と前記第１の水平板と第２の水平板を連結させる鉛直板を有し回動によって吹き出し方向を可変するフラップを設け、前記第１の水平板の長さが前記第２の水平板の長さよりも長いものであって、前記第２の水平板の下流側形状を第１の水平板側へ向けて傾斜させ、前記第２の水平板を通過する吹き出し気流に誘引効果を与え、また、吹き出し風速を増加させることを特徴とするミストサウナ装置であって第２の水平板を通過する吹き出し気流に誘引効果を与え、また、吹き出し口の下流側を狭くして吹き出し風速を増加させる作用を有する。
【００３１】
また、フラップが回動して真下に向けて吹き出すときに、第２の水平板に設けた傾斜の上流側が噴霧部よりも上方に位置することを特徴とする請求項１記載のミストサウナ装置であって噴霧部の近傍を通過する前に第２の水平板に沿って通過する吹き出し気流の吹き出し方向を変更して誘引効果を高める作用を有する。
【００３４】
また、吹き出し部の風路を構成する最外部の鉛直板の下流側の形状を拡大方向に向けた請求項１または２記載のミストサウナ装置であって浴室内に均一に吹き出し気流を拡散させて吹き出す作用を有する。
【００３５】
また、吹き出し部の風路を構成する鉛直板を任意に可動できる構成としたことを特徴とする請求項１または２記載のミストサウナ装置であって吹き出し気流の幅を任意に変更できる作用を有する。
【００３６】
以下、本発明の実施の形態について図面を参照しながら説明する。
【００３７】
（実施の形態１）
図１〜図３に示すように、本体２下部に浴室内の空気を吸込む吸気口５と吸い込まれた空気を浴室内に吹き出す吹出口４を有する化粧パネル３を備え、本体２内部には吸気口５から吸い込まれた浴室内の空気を加熱する熱交換器６と吸い込まれた浴室内の一部の空気を排気ダクト（図示せず）を介して屋外へ排出する換気ファン１５と換気ファン１５を駆動する換気モーター１６と本体２内部に設けられた通風路１４を介して前記吸気口５から前記吹出口４へと浴室内の空気を搬送する循環ファン１２と循環ファン１２を駆動する循環モーター（図示せず）を備え、吹出口４の内側に浴室内の洗い場へ向けて温水または冷水をミスト状にして噴霧するノズル７を備えたミストサウナ装置１において、吹出口４は化粧パネル３の表面に位置して化粧パネル３の表面と同一面上に位置して開閉する第１の水平板９とその内側に位置した第２の水平板１０と第１の水平板９と第２の水平板１０を連結させる鉛直板１１を有し回動によって吹き出し方向を可変するフラップ８を設け、吹出口４の開口寸法Ｌ３と第１の水平板９の長さＬ１と第２の水平板１０の長さＬ２がＬ３≧Ｌ１＞Ｌ２となる関係で構成する。
【００３８】
上記構成により、第１の水平板９の長さＬ１と第２の水平板１０の長さＬ２がＬ１＞Ｌ２となっているため、ミストサウナ、暖房、乾燥等の各運転時に第２の水平板１０が吹出口４の内側に設けられたノズル７に衝突することなくフラップ８が回動して開き、浴室内へ、ミスト噴霧や温風の吹き出しができ、吹出口４の開口寸法Ｌ３と第１の水平板９の長さＬ１がＬ３≧Ｌ１となっているため、ミストサウナ、暖房、乾燥等の各運転停止時および換気運転時にフラップ８が回動してノズル７を隠蔽するように閉まり、フラップ８の第１の水平板９が化粧パネル３の表面と同一面上になるため、化粧パネル３の意匠性を損なわず、見栄えが良くなることとなる。
【００３９】
なお、第２の水平板１０が１枚の時を例として説明しているが、２枚以上の複数枚でも良く、その作用効果に変わりはない。また、浴室の空気を加熱するために熱交換器６を例として説明しているが、空気を暖めることが出来る手段であれば電気ヒーターなどを用いても良く、その作用効果に変わりはない。
【００４０】
また、第２の水平板１０の下流部分１７を第１の水平板９側へ向けて角度θ（例えば１１度≦θ≦１２度）で傾斜させて構成する。
【００４１】
上記構成により、第２の水平板１０を通過する吹き出し気流に誘引効果を与え、また、第１の水平板９と第２の水平板１０で形成されるフラップ８の下流側を狭くして吹き出し風速を増加させるため、フラップ８の向きが浴室の洗い場側へ向いているときは、吹き出し風速の増加により、吹出口４の内側に浴室の洗い場へ向けて噴霧するように設けられた温水または冷水をミスト状にして噴霧するノズル７から噴霧されたミストがミストサウナ装置と相対する洗い場壁面まで到達でき、フラップ８の向きが浴槽側へ向いたときは、吹き出し風速の増加と、第２の水平板１０の周囲を通過する吹き出し気流が第２の水平板１０の角度θ（例えば１１度≦θ≦１２度）で傾斜した下流部分１７により吹き出し気流の方向が変更されるとともに生じる誘引効果により、あらかじめ浴室内の洗い場へ向けて噴霧するように吹出口４の内部に設けられたノズル７から噴霧されたミストが吹き出し気流に追随して噴霧され、フラップ８から吹き出される吹き出し気流の向きによりノズル７から噴霧されるミストの噴霧方向を変更できることとなる。
【００４２】
また、第２の水平板１０を下流部分１７と上流部分１８の接合部に回動軸１９を設けて上流部分１８を鉛直板１１に固定して構成する。
【００４３】
上記構成により、第２の水平板１０の上流部分１８は鉛直板１１に固定されており、下流部分１７のみが上流部分１８との接合部に設けられた回動軸１９を中心に任意の傾斜角度θで第１の水平板９に向って傾斜できるため、吹き出し気流の方向を任意に設定可能となり、ノズル７から噴霧されるミストの噴霧方向も任意に設定可能となり、浴室の広さに対応して、ミストの噴霧方向を変更することができることとなる。
【００４４】
また、フラップ８が回動して真下に向けて吹き出すときに、第２の水平板１０の下流部分１７設けた傾斜の上流側１８がノズル７よりも上方に位置するように構成する。
【００４５】
上記構成により、フラップ８が回動して真下に向けて吹き出すときに、第２の水平板１０に設けた傾斜の上流側が噴霧部よりも上方に位置するように、例えば、第２の水平板１０の下流側部分で第２の水平板１０の長さＬ２の２分の１以下の部分を角度θ（例えば１１度≦θ≦１２度）で傾斜させると、ノズル７の上流側で吹き出し気流の方向が変更されて誘引効果が高められるため、ノズル７から噴霧されたミストが前もって吹き出し方向を変更された吹き出し気流に誘引されやすくなり、吹き出し気流の方向に追随してミストの噴霧方向を変更することができることとなる。
【００４６】
（実施の形態２）
図４に示すように、第２の水平板１０の下流部分１７はノズル隣接部２０を傾斜させて構成する。
【００４７】
上記構成により、ノズル隣接部２０では、第２の水平板１０の上面を通過する吹き出し気流に誘引効果を与え、また、フラップ８の下流側を狭くして吹き出し風速を増加させることができ、ノズル不隣接部２１では、第２の水平板１０の下流部分１７の傾斜がなくフラップ８を通過する時の圧力損失が上昇しないため、フラップ８の圧力損失の増加を最小限に留めて、吹き出し気流の方向に追随してノズル７から噴霧されるミストの噴霧方向を変更することができることとなる。
【００４８】
（実施の形態３）
図５および図６に示すように、フラップ８を構成する鉛直板２２は鉛直板２２ａ、鉛直板２２ｂ、鉛直板２２ｃ、鉛直板２２ｄ、鉛直板２２ｅ、鉛直板２２ｆの６枚あり、その内、風路の最外部にあたる鉛直板２２ａと鉛直板２２ｆのそれぞれの下流端２３ａ、下流端２３ｆをフラップ８の外側に向けて略円弧状に拡大した形状となるように構成する。
【００４９】
上記構成により、フラップ８の各鉛直板２２で構成される風路を浴室内の空気が通過するときに、風路の最外部にあたる鉛直板２２ａと鉛直板２２ｆのそれぞれの下流端２３ａと下流端２３ｆがフラップ８の外側に向けて略円弧状に緩やかに拡大している形状を有しているため、風路を通過する吹き出し気流が鉛直板２２ａと鉛直板２２ｆに沿って拡がりながら吹き出されるため、吹き出し気流の幅が拡がり、浴室内に均一に吹き出し気流を拡散させることができる。このとき、吹出口４の内側でフラップ８の近傍に位置しているノズル７から温水または冷水のミストが噴霧されるミストサウナ運転時には、拡がりながら吹き出される吹き出し気流に誘引されながら、吹き出し気流の幅の拡がりに追随してミストも浴室内に均一に拡散することができることとなる。また、ミストを噴霧しない暖房運手時あるいは乾燥運転時にも吹き出し気流の吹き出し幅が拡大して浴室内に吹き出されるので、暖房時には浴室内の温度分布が均一にでき、また、乾燥時には拡大して吹き出された気流により浴室内および衣類の乾燥時間が短縮することができることとなる。
【００５０】
また、フラップ８の風路を構成する鉛直板２２ａの上流部２４ａと下流部２３ａに分割して、上流部２４ａはフラップ８を構成する第１の水平板９と第２の水平板１０に固定され、下流部２３ａは水平方向に回転可能な回転軸２５を有する回転体２５により上流部２４ａに接続されて構成する。また、鉛直板２２ｆも鉛直板２２ａと同様に上流部２４ｆと下流部２３ｆで分割して、上流部２４ｆはフラップ８を構成する第１の水平板９と第２の水平板１０固定され、下流部２３ｆは水平方向に回転可能な回転軸２５を有する回転体２５により構成する。
【００５１】
上記構成により、フラップ８の風路を構成する鉛直板２２ａおよび鉛直板２２ｆのそれぞれの上流部２４ａおよび上流部２４ｆはフラップ８を構成する第１の水平板９と第２の水平板１０に固定されていて、各々水平方向に回転可能な回転軸２５ａと回転軸２５ｆにより下流部２３ａと下流部２３ｆが接続されているので、下流部２３ａと下流部２３ｆは各々水平方向に任意の角度で向きを変更することができ、吹き出し気流の吹き出し幅を可変することが可能になる。そのため、ミストサウナ運転時に下流部２３ａと下流部２３ｆを各々風路の内側に向けて角度を設定すれば、吹き出し気流の吹き出し幅が狭くすることができ、ノズル７から噴霧されるミストの幅も吹き出し気流の幅に追随して狭くすることができるため、ミストのスポット噴霧ができる。一方、下流部２３ａと下流部２３ｆを各々風路の外側へ向けて角度を設定すれば、鉛直板２２ａと鉛直板２２ｆに沿って吹き出される吹き出し気流の幅が拡大されて、ノズル７から噴霧されるミストの幅も吹き出し気流の幅に追随して拡大することができるため、ミストのワイド噴霧ができることとなる。
【００５２】
なお、水平方向に任意の角度で向きが変更できる鉛直板２２を風路を構成する最外部の２枚に限定したが、鉛直板２２全てで水平方向に任意の角度で向きが変更できる構成にしても良く、その作用効果に変わりはない。
【産業上の利用可能性】
【００５３】
本発明にかかるミストサウナ装置は、暖房装置と加湿装置を一体に設けた空気調和装置、あるいは、温度や湿度の制御が必要な動植物の育成、保存分野にも適用できる。
【図面の簡単な説明】
【００５４】
【図１】本発明の実施の形態１のミストサウナ装置の吹出口を示す拡大断面図
【図２】同ミストサウナ装置のフラップの動きを示す拡大断面図
【図３】同ミストサウナ装置の水平板の動きを示す拡大断面図
【図４】本発明の実施の形態２のミストサウナ装置の化粧パネルを示す外観図
【図５】本発明の実施の形態３のミストサウナ装置の吹出口を示す拡大断面図
【図６】同ミストサウナ装置の鉛直板の動きを示す吹出口の拡大断面図
【図７】従来のミストサウナ装置の構成を示す構成図
【符号の説明】
【００５５】
１    ミストサウナ装置
２    本体
３    化粧パネル
４    吹出口
５    吸気口
６    熱交換器
７    ノズル
８    フラップ
９    第１の水平板
１０  第２の水平板
１１  鉛直板
１２  循環ファン
１３  循環モーター
１４  通風路
１５  換気ファン
１６  換気モーター
１７  第２の水平板１０の下流部分
１８  上流部分
１９  回動軸
２０  ノズル隣接部
２１  ノズル不隣接部
２２  鉛直板
２３  下流部
２４  上流部
２５  回転軸
【図１】
0004853442.tif 000002
【図２】
0004853442.tif 000003
【図３】
0004853442.tif 000004
【図４】
0004853442.tif 000005
【図５】
0004853442.tif 000006
【図６】
0004853442.tif 000007
【図７】
0004853442.tif 000008